(57)【要約】【課題】感度の良い、設置の容易で、迅速な対応が図れるセンサーで、建築物において、結露や雨漏り、漏水等が発生していることを通知することができるセンサーの製造方法、結露監視システム、結露監視方法、及び、結露監視プログラムを提供する。【解決手段】センサーの製造方法は、離間して配置された二本の金属線１１１ａ、１１１ｂで構成され、建築物の壁内の空間にある水滴、又は水分を検出するためのセンサー１１０の製造方法であって、絶縁体１１２を配置し、前記二本の金属線１１１ａ、１１１ｂで前記絶縁体１１２を挟むように、該二本の金属線１１１ａ、１１１ｂのそれぞれを該絶縁体１１２に密接させて配置する。【選択図】図１
2016045136.tif 000002
【特許請求の範囲】
【請求項１】
離間して配置された二本の金属線で構成され、建築物の壁内の空間にある水滴、又は水分を検出するためのセンサーの製造方法であって、
絶縁体を配置し、
前記二本の金属線で前記絶縁体を挟むように、該二本の金属線のそれぞれを該絶縁体に密接させて配置する構成としたセンサーの製造方法。
【請求項２】
前記二本の金属線と、前記絶縁体を密着して配置する構成とした請求項１に記載のセンサーの製造方法。
【請求項３】
前記二本の金属線は、均等な間隔を持って離間して配置する構成とした請求項１または２に記載のセンサーの製造方法。
【請求項４】
離間して配置された二本の金属線で構成され、建築物の壁内の空間にある水滴、又は水分を検出するためのセンサーの製造方法であって、
線を配置し、
前記二本の金属線で前記配置された線を挟むように、該二本の金属線のそれぞれを該配置された線に密接させて配置し、
前記配置された線を取り除く構成としたセンサーの製造方法。
【請求項５】
前記センサーは、建材用の両面テープ上に配置される構成とした請求項１乃至４のいずれか一項に記載のセンサーの製造方法。
【請求項６】
離間して配置された二本の金属線から構成され、建築物の壁内に設置されたセンサーと、
前記センサーが設置されている位置における前記壁内の空間にある水滴、又は水分の水分量を測定する測定手段と、
前記測定手段が測定した前記空間にある水滴、又は水分の水分量を示す水分量情報を記憶する記憶手段と、
前記記憶手段が記憶した水分量情報値が、予め設定された値よりも大きい場合に、該センサーが設置されている位置において結露が発生したことを通知する通知手段と、
を備える構成とした結露監視システム。
【請求項７】
前記記憶手段が記憶した水分量情報値を、時間経過に倣って表すグラフを作成するグラフ作成手段と、
前記グラフ作成手段が作成したグラフを表示する表示手段と、
を備える構成とした請求項６に記載の結露監視システム。
【請求項８】
前記測定手段は、
前記センサーを構成する二本の金属線の間の電気抵抗を測定する電気抵抗測定手段と、
前記電気抵抗測定手段が測定した電気抵抗に基づいて、前記空間にある水滴、又は水分の水分量を算出する水分量演算手段と、
を備える構成とした請求項６または７に記載の結露監視システム。
【請求項９】
前記記憶手段が記憶した水分量情報値が、所定の設定値よりも大きくなった時点を含む日について、その日を示す画像をカレンダーに表示する表示装置を備える構成とした請求項６乃至８のいずれか一項に記載の結露監視システム。
【請求項１０】
前記センサーは、前記建築物の躯体を保護する防水シート上に設置される構成とした請求項６乃至９のいずれか一項に記載の結露監視システム。
【請求項１１】
前記建築物内の温度を測定する温度センサー、前記建築物の振動を検知する加速度センサー、前記建築物の傾きを検知するジャイロセンサー、不審者の侵入を検知する防犯センサーのうち少なくとも一つを備える構成とした請求項６乃至１０のいずれか一項に記載の結露監視システム。
【請求項１２】
離間して配置された二本の金属線から構成され、建築物の壁内に設置されたセンサーが接続されたコンピュータが、
前記建築物の壁内の空間にある水滴、又は水分の水分量を測定し、
前記測定した水分量を示す水分量情報値を記憶し、
前記記憶した水分量情報値が示す水分量が、前記コンピュータに予め記憶した所定の設定値よりも大きい場合に、結露が発生したことを通知する構成とした結露監視方法。
【請求項１３】
離間して配置された二本の金属線から構成され、建築物の壁内に設置されたセンサーが接続されたコンピュータに、
前記建築物の壁内の空間にある水滴、又は水分の水分量を測定させ、
前記測定した水分量を示す水分量情報値を記憶させ、
前記記憶した水分量情報値が示す水分量が、前記コンピュータに予め記憶した所定の設定値よりも大きい場合に、結露が発生したことを通知させる構成とした結露監視プログラム。
【発明の詳細な説明】
【技術分野】
【０００１】
本発明は、建築物の結露を検知する金属線でなるセンサーの製造方法、結露監視システム、結露監視方法、及び、結露監視プログラムに関する。
【背景技術】
【０００２】
夏場には涼しく、冬場には暖かく過ごすことのできる断熱性の高い住宅が多く構築されている。断熱性の高い住宅は、一般的に気密性が高く、結露が発生しやすい。このような住宅では、居住者が結露の発生に気づかないまま、生活し、かつ修繕を怠ると、構築物（建材）の朽ちれ、腐蝕と、脆弱化等が進行し、住宅の寿命が短くなる問題があった。
【０００３】
このような問題を解消すべく、特許文献１には、壁面構成部材の内外にそれぞれ通気層を設けた建築物の通気断熱構造が開示されている。しかし、特許文献１の通気断熱構造は、結露が発生したことを検知する手段を備えていないため、結露が発生しても居住者が気づくことができない。
特許文献２には、電極板とアース面とによって仮想のコンデンサを構成し、水滴が付着したことにより生じる静電容量の変化により、結露が発生していることを検出する着路検出装置が開示されている。
【先行技術文献】
【特許文献】
【０００４】
【特許文献１】特開平１１−１８１９０１号公報
【特許文献２】特開２０１２−９８０４４号公報
【発明の概要】
【発明が解決しようとする課題】
【０００５】
特許文献２に記載の着路検出装置は、仮想のコンデンサが設置されているポイントにおいて発生する結露しか検知できない。より広い範囲で結露を検知するためには、多数のコンデンサを設置しなくてはならないため、配線がかなり複雑になる。
【０００６】
本発明は、このような実情に鑑みてなされたものであり、感度の良い、設置の容易で、迅速な対応が図れるセンサーで、建築物において、結露や雨漏り、漏水等が発生していることを通知することができるセンサーの製造方法、結露監視システム、結露監視方法、及び、結露監視プログラムを提供することを目的とする。
【課題を解決するための手段】
【０００７】
上記目的を達成するために、本発明の第１の観点に係るセンサーの製造方法は、
離間して配置された二本の金属線で構成され、建築物の壁内の空間にある水滴、又は水分を検出するためのセンサーの製造方法であって、
線状、鼓型、立法体等の絶縁体を配置し、
前記二本の金属線で前記線状、鼓型、立方体等の絶縁体を挟むように、該二本の金属線のそれぞれを該絶縁体に密接させて配置する。
【０００８】
前記センサーの製造方法は、
前記二本の金属線と、前記絶縁体を密着して配置しても良い。
【０００９】
前記二本の金属線は、均等な間隔を持って離間して配置しても良い。
【００１０】
本発明の第２の観点に係るセンサーの製造方法は、
離間して配置された二本の金属線で構成され、建築物の壁内の空間にある水滴、又は水分を検出するためのセンサーの製造方法であって、
線を配置し、
前記二本の金属線で前記配置された線を挟むように、該二本の金属線のそれぞれを該配置された線に密接させて配置し、
前記配置された線を取り除く。
【００１１】
前記センサーは、建材用の両面テープ上に配置されても良い。
【００１２】
本発明の第３の観点に係る結露監視システムは、
離間して配置された二本の金属線から構成され、建築物の壁内に設置されたセンサーと、
前記センサーが設置されている位置における前記壁内の空間にある水滴、又は水分の水分量を測定する測定手段と、
前記測定手段が測定した前記空間にある水滴、又は水分の水分量を示す水分量情報（結露発生した情報）を記憶する記憶手段と、
前記記憶手段が記憶した水分量情報値が、予め設定された値よりも大きい場合に、該センサーが設置されている位置において結露が発生したことを通知する通知手段と、
を備える。
【００１３】
前記結露監視システムは、
前記記憶手段が記憶した水分量情報値を、時間経過に倣って表すグラフを作成するグラフ作成手段と、
前記グラフ作成手段が作成したグラフを表示する表示手段と、
を備えても良い。
【００１４】
前記測定手段は、
前記センサーを構成する二本の金属線の間の電気抵抗を測定する電気抵抗測定手段と、
前記電気抵抗測定手段が測定した電気抵抗に基づいて、前記空間にある水滴、又は水分の水分量を算出する水分量演算手段と、
を備えても良い。
【００１５】
前記結露監視システムは、
前記記憶手段が記憶した水分量情報値が、所定の設定値よりも大きくなった時点を含む日について、その日を示す画像をカレンダーに表示する表示装置を備えても良い。
【００１６】
前記センサーは、前記建築物の躯体を保護する防水シート上に設置されるようにしても良い。
【００１７】
前記結露監視システムは、
前記建築物内の温度を測定する温度センサー、前記建築物の振動を検知する加速度センサー、前記建築物の傾きを検知するジャイロセンサー、不審者の侵入を検知する防犯センサー（音声、振動等を検知できるセンサー）のうち少なくとも一つを備えても良い。
【００１８】
本発明の第４の観点に係る結露監視方法は、
離間して配置された二本の金属線から構成され、建築物の壁内に設置されたセンサーが接続されたコンピュータが、
前記建築物の壁内の空間にある水滴、又は水分の水分量を測定し、
前記測定した水分量を示す水分量情報値を記憶し、
前記記憶した水分量情報値が示す水分量が、前記コンピュータに予め記憶した所定の設定値よりも大きい場合に、結露が発生したことを通知する構成とする。
【００１９】
本発明の第５の観点に係る結露監視プログラムは、
離間して配置された二本の金属線から構成され、建築物の壁内に設置されたセンサーが接続されたコンピュータに、
前記建築物の壁内の空間にある水滴、又は水分の水分量を測定させ、
前記測定した水分量を示す水分量情報値を記憶させ、
前記記憶した水分量情報値が示す水分量が、前記コンピュータに予め記憶した所定の設定値よりも大きい場合に、結露が発生したことを通知させる。
【発明の効果】
【００２０】
本発明によれば、感度の良い、設置の容易で、迅速な対応が図れるセンサーで、建築物において、結露や雨漏り、漏水等が発生していることを通知することができる。
【図面の簡単な説明】
【００２１】
【図１】結露監視システムが備えるセンサーを構成する金属線の配置方法を示す図である。
【図２】結露監視システムが備えるセンサーの設置例を示した拡大模式図である。少なくとも、二本の金属線の間に挟まれた絶縁体は、シート上（表面）に設けた二本の金属線の開放側（反取付側）の面より、内側にある構成とする。
【図３】結露監視システムが備えるセンサーの配線例を示した模式図である。
【図４】結露監視システムの構成例を示すブロック図である。
【図５】結露監視処置を示したフローチャートである。
【図６】（ａ）グラフ作成手段が作成するグラフの例を示した図である。（ｂ）カレンダー作成手段が作成したカレンダーの例を示した図である。
【図７】結露監視システムが備えるセンサーを構成する金属線の配置方法の変形例を示す図である。
【図８】測定装置とサーバ装置との接続例を示す図である。
【図９】結露監視システムで使用される制御パネルの例を示した図である。
【発明を実施するための形態】
【００２２】
（第１実施形態）
本実施形態に係る結露監視システムは、センサーを構成する二本の金属線の間の電気抵抗を測定することにより、そのセンサーが設置されている位置における空間にある水滴、又は水分の水分量を算出する。センサーを構成する二本の金属線は、電気抵抗の測定感度に不均衡が生じないようにするため、均一な間隔で離間して配置される必要があるが、二本の金属線を均一な間隔で離間して配置することは、一般的に簡単ではない。
ここでは、本実施形態に係る結露監視システムの説明に先立って、そのセンサーを構成する二本の金属線を均一な間隔で離間して配置するセンサーの製造方法あって、簡単に実現することができる方法を説明する。
【００２３】
図１に示すように、センサー１１０は、主として、金属線１１１ａと１１１ｂと（１１１ａ、１１１ｂ）から構成される。金属線１１１ａ、１１１ｂは、例えば、銅、白金、金、合金等からなる。
金属線１１１ａ、１１１ｂは、粘着剤が塗布された建材用のシート１１３（所定幅でなるテープも可能）上に配置される。両面テープ（不図示）を利用し、金属線１１１ａ、１１１ｂを表面に、粘着剤を裏面に設ける構成も可能である。尚、金属線１１１ａ、１１１ｂを均一な間隔で離間して配置するために、線状、鼓型、立方体等の絶縁体１１２を建材用の面シート１１３の表面に配置される。この絶縁体１１２は、ポリ塩化ビニルやアクリル樹脂等からなる。次に、金属線１１１ａ、１１１ｂとで絶縁体１１２を挟むように、金属線１１１ａと１１１ｂのそれぞれを絶縁体１１２に密接させて、シート１１３上に配置される。即ち、金属線１１１ａ、１１１ｂ等は、シート１１３の巻取り方向に、適宜間隔で多数本配置し、必要とする面積にカットして使用する。従って、シート１１３の面積当りの金属線１１１ａ、１１１ｂ等は同じである。この構造により、シート１１３は、長尺物であって、捲装して収容できる特徴があり、取扱いの容易と、現場での使用、及びカットし、所定の寸法での使用等に実益がある。また、二本の金属線１１１ａ、１１１ｂの間に挟まれた絶縁体１１２が、この二本の金属線１１１ａ、１１１ｂ、の開放側（反取付側）の面１１１ａ−１、１１１ｂ−１より、内側（矢視Ｘの方向）にある構成とする。これより、二本の金属線１１１ａ、１１１ｂの面１１１ａ−１、１１１ｂ−１に、水滴、又は雨水等の通電体が接触した状態で、スイッチ（電気抵抗）が入る（通電する）構造である。
【００２４】
センサー１１０は、建材用のシート１１３上に、二本の金属線１１１ａ、１１１ｂと、この二本の金属線１１１ａ、１１１ｂの間隔を保持する絶縁体１１２とをそれぞれ配置した構造であり、従って、センサー１１０を、取付ける場合は、シート１１３は、シート形態のシート１１３であれば、現場で、必要とする壁シートの取付け位置（取付け広さ）に併せて、切断して、直接、設置することで、簡単に金属線１１１ａ、１１１ｂを均一な間隔で離間して配置することができる。尚、センサー１１０は、屋根地の内部に設置することも可能であり、屋根において、例えば、結露、水滴、又は漏水検知に利用することもできる（不図示）。
【００２５】
なお、金属線１１１ａ、１１１ｂの間の電気抵抗を精度良く測定するためには、金属線１１１ａ、１１１ｂの直径は、絶縁体１１２の直径の２倍程度であることが望ましい。具体的には、金属線１１１ａ、１１１ｂの直径は、０．８ｍｍ程度、絶縁体１１２の直径は０．４ｍｍ程度であることが望ましい（図２参照）。
【００２６】
また、金属線１１１ａ、１１１ｂ、絶縁体１１２のそれぞれは、粘着剤が塗布されていないシート（不図示）上に配置されても良い。この場合は、例えば、金属線１１１ａ、１１１ｂ、絶縁体１１２のそれぞれの一部に粘着剤を、塗布して、シート（不図示）上に配置される。
【００２７】
上記で説明した方法で配置された金属線１１１ａ、１１１ｂからなるセンサー１１０は、図２の例に示すように、例えば、後述する建築物の外壁５１０と内壁５２０との間に設けられた断熱材５３０を保護する防水シート５４０上に設置、又は貼着等される。従って、現場において、簡単かつ確実に、例えば、図２の例に示すように、建築物の外壁５１０と内壁５２０との間に設けられる。また、図３の例に示すように、結露、又は水滴、漏水が発生しやすい箇所であるサッシ・排気口の下方、軒先、軒の出、ケラバ、壁際等の付近のそれぞれに、一本、又は複数本設置される。そして、センサー１１０が多ければ、より結露防止に有効である。
そして、断熱材５３０を保護する防水シート５４０の上にセンサー１１０付きのシート１１３を展着（粘着）する。このセンサー１１０と、外壁５１０との間に空間５５０が形成され、この空間５５０にセンサー１１０が配置される。従って、この空間５５０に発生し、建築物にとって、最も問題となる結露を検知することを意図する。この検知で、構築物の朽ちれ、腐蝕と、脆弱化等を回避し、長寿命化を図る。
【００２８】
次に、上記で説明した方法で配置された金属線１１１ａ、１１１ｂからなるセンサー１１０を備え、結露の発生を監視する結露監視システム１を説明する。
結露監視システム１は、図４に示すように、測定装置１００と、サーバ装置２００と、端末装置３００と、を備える。これらの装置はインターネット等のネットワークＮ（不図示）を介して接続されている。
【００２９】
測定装置１００は、センサー１１０と、測定部１２０と、通信用インタフェース（不図示）等を備える。センサー１００は、均一な間隔で離間して配置された二本の金属線１１１ａ、１１１ｂからなる。測定部１２０は、電気抵抗測定部１２１と、水分量演算部１２２と、を備え、所定の時間毎（例えば３０分毎）に、センサー１００が設置されている位置における空間の水分量を測定し、ネットワークＮを介して、サーバ装置２００にその水分量を示す水分量情報（結露発生した情報）を送信する。
【００３０】
電気抵抗測定部１２１は、抵抗計から構成され、金属線１１１ａ、１１１ｂの間の電気抵抗を測定し、水分量演算部１２２にその測定値を示す信号を送出する。
水分量演算部１２２は、不図示のＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等から構成される。水分量演算部１２２は、ＣＰＵがＲＯＭ等に記憶されているプログラムをＲＡＭに展開して実行することによって、電気抵抗測定部１２１が測定した電気抵抗に基づいて、センサーが設置されている位置における空間の水分量を算出する。なお、ＣＰＵ、ＲＡＭ、ＲＯＭは、測定装置１００の全体動作も制御する。
なお、水分量演算部１２２は、電気抵抗計測部１２１が計測した電気抵抗に基づいて、センサーが設置されている位置における空間の水分量を算出する機能を備えていれば十分であり、形式や演算原理は問われない。市場で入手可能な公知の計算機やプログラム等を適宜選択して使用することができる。
【００３１】
サーバ装置２００は、記憶部２１０と、通知部２２０と、通信用インタフェース（不図示）を備える。記憶部２１０は、ＨＤＤ（Ｈａｒｄ  Ｄｉｓｋ  Ｄｒｉｖｅ）等の記憶装置から構成され、ネットワークＮを介して、測定装置１００から受信した水分量情報を記憶する。
通知部２２０は、不図示のＣＰＵ、ＲＡＭ、ＲＯＭ等から構成される。通知部２２０は、ＣＰＵがＲＯＭ等に記憶されているプログラムをＲＡＭに展開して実行することによって、記憶部２１０が記憶した水分量情報が示す水分量が、予め設定された値よりも大きいか否かを判定する。その水分量が予め設定された値よりも大きければ、通知部２２０は、ネットワークＮを介して、端末装置３００に結露が発生していることとその位置とを通知する。なお、ＣＰＵ、ＲＡＭ、ＲＯＭは、サーバ装置２００の全体動作も制御する。
【００３２】
端末装置３００は、携帯電話端末や、ＰＣ（Ｐｅｒｓｏｎａｌ  Ｃｏｍｐｕｔｅｒ）端末等のコンピュータである。不図示のＣＰＵ、ＲＡＭ、ＲＯＭ、ＨＤＤ、ＬＣＤ（Ｌｉｑｕｉｄ  Ｃｒｙｓｔａｌ  Ｄｉｓｐｌａｙ）等の表示部、スピーカ等の報知部、通信用インタフェース等を備える。
端末装置２００は、ネットワークＮを介して、サーバ装置２００から結露が発生していることとその位置とを示す通知を受信すると、その旨を表示部に表示したり、報知部から報知したりすることにより、ユーザに建築物内で結露が発生したことを知らせる。
【００３３】
次に、この実施形態に係る結露監視システム１の動作を図５を参照して説明する。
建築物の施工業者、住宅調査業者、または、居住者（以下、管理者と表す）は、建築物の外壁と内壁の間に設けられた断熱材等を保護する防水シート５４０上に、測定装置１００のセンサー１１０を付けたシート１１３上を設置する。シート１１３上に付けられたセンサー１１０は防水シート５４０上に１つだけ設置されても良いし、複数設置されても良い。
【００３４】
センサー１１０を付けたシート１１３上を設置した後に、管理者は、測定装置１００、サーバ装置２００、および、端末装置３００の電源をＯＮにする。電源がＯＮになると、それぞれの装置は、結露監視処理をスタートする。
結露監視処理（漏水監視処理）がスタートすると、まず、電気抵抗測定部１２１は、所定の時間毎に、設置されたセンサー１１０のそれぞれについて、そのセンサー１１０を構成する金属線１１１ａ、１１１ｂの間の電気抵抗を測定し、それぞれの測定値を示す信号を水分量演算部１２２に送出する（ステップＳ１０１）。
【００３５】
電気抵抗測定部１２１が水分量演算部１２２に電気抵抗の測定値を送出すると、水分量演算部１２２は、その測定値に基づいて、それぞれのセンサー１１０が設置されている位置における空間の水分量を算出する（ステップＳ１０２）。
水分量演算部１２２が、それぞれのセンサー１１０が設置されている位置における空間の水分量を算出すると、測定装置１００は、サーバ装置２００に算出した水分量を示す水分量情報を送信する（ステップＳ１０３）。サーバ装置２００に水分量情報を送信すると、測定装置１００の結露監視処理は終了する。
【００３６】
サーバ装置２００が測定装置１００から水分量情報を受信すると（ステップＳ１０４）、記憶部２１０は受信した水分量情報を記憶する（ステップＳ１０５）。記憶部２１０が受信した水分量情報を記憶すると、通知部２２０は、受信した水分量情報が示す、それぞれのセンサー１１０が設置されている位置における空間の水分量が、予め設定された閾値を上回るかどうかを判断する（ステップＳ１０６）。
【００３７】
その水分量が予め設定された閾値（予め定められた所定の設定値）を上回った場合（ステップＳ１０６；Ｙｅｓ）、通知部２２０は、端末装置３００に結露が発生していることとその位置とを通知する（ステップＳ１０７）。通知部２２０が端末装置２００に結露が発生していることを通知すると、サーバ装置２００の結露監視処理は終了する。また、その水分量が予め設定された閾値を上回らない場合も（ステップＳ１０６；Ｎｏ）、サーバ装置２００の結露監視処理は終了する。
【００３８】
端末装置３００は、サーバ装置２００から結露が発生（漏水が発生）していることとその位置とを示す通知を受信すると（ステップＳ１０８）、その旨を表示部に表示したり、報知部から報知したりすることにより、ユーザに建築物内で結露が発生したことを知らせる（ステップＳ１０９）。
こうして、建築物の管理者は、その建築物において、結露や雨漏り等の結露が発生していることと、その位置と、をすぐに知ることができる。
【００３９】
また、センサー１１０が、金属線によって構成されており、その金属線が配線されている位置（領域）における結露を検出（漏水を検出）することができる。また、より広い範囲で結露を検出することができる。
【００４０】
また、センサー１１０は、金属線によって構成されているため、手狭な場所や構造が複雑である場所等に、フレキシブルに設置することができる。
【００４１】
（第２実施形態）
第２実施形態に係る結露監視システム２は、第１実施形態に係る結露監視システム１の構成に加え、グラフ作成手段を備える。グラフ作成手段は、サーバ装置２００に備えられ、記憶部２１０が記憶した水分量情報が示す空間の水分量の時間変化に倣って表すグラフを作成する。サーバ装置２００がグラフを作成すると、端末装置３００の表示部がそのグラフを表示する。
【００４２】
グラフ作成手段は、記憶部２１０を参照して、図６（ａ）の例に示すようなグラフを作成する。図６の例では便宜を図るために、建材に設置されたセンサー１１０の個数を２個に限定している。グラフ作成手段は、記憶部２１０が記憶する水分量情報が示す水分量をセンサー１１０毎にプロットする。
グラフ作成手段は、端末装置３００から、測定した水分量の時間変化を示すグラフを表示することを要求するリクエストがあった際に、グラフを作成して、端末装置３００に送信する。
【００４３】
結露監視システム２により、建築物の管理者は、結露が発生していることと、その位置と、だけではなく、結露（漏水）の程度を知ることができるため、例えば、場所に応じた漏水対策がとれるようになる。
【００４４】
（第３実施形態）
第３実施形態に係る結露監視システム３は、第１実施形態および第２実施形態に係る結露監視システム１の構成に加え、カレンダー作成手段を備える。カレンダー作成手段は、サーバ装置２００に備えられ、記憶部２１０が記憶した水分量情報が示す空間の水分量が、予め設定された閾値よりも大きくなった時点を含む日について、その日を示す画像をハイライトしたカレンダーを作成する。サーバ装置２００がカレンダーを作成すると、端末装置３００の表示部がそのカレンダーを表示する。
【００４５】
カレンダー作成手段は、記憶部２１０を参照して、図６（ｂ）の例に示すようなカレンダーを作成する。図６（ａ）の例においては、２０１４年７月２０日に、センサー１１０＿１における空間の水分量が予め設定された閾値を超えており、２０１４年７月２１日に、センサー１１０＿２における空間の水分量がその閾値を超えている。この場合、カレンダー作成手段は、図６（ｂ）の例に示すように、２０１４年７月２０日を示す画像と、２１日を示す画像をハイライトしたカレンダーを作成する。
【００４６】
カレンダー作成手段は、端末装置３００から、建材の状態を示した上記のカレンダーを表示することを要求するリクエストがあった際に、そのカレンダーを作成して、端末装置３００に送信する。
【００４７】
結露監視システム３により、建築物の管理者は、その建築物の日ごとの状態を取得することができる。
【００４８】
以上、本発明の実施形態を説明したが、この発明は上記の実施形態に限定されず、種々の変形及び応用が可能である。
【００４９】
上述した実施形態において、線上の絶縁体１１２と金属線１１１ａ、１１１ｂとを配置した後に、図７の例に示すように、絶縁体１１２を矢印Ａの方向に引っ張り、取り除いても良い。この変形例に係るセンサーの製造方法では、絶縁体１１２は、導体で構成されていても良い。
【００５０】
上述した実施形態では、測定装置１００が抵抗計から構成される電気抵抗計測部１２１を備えると記載したが、電気抵抗測定部１２１の代わりに電流計または電圧計が備えられても良い。この場合、水分量演算部１２２は、電流計または電圧計が測定した測定値に基づいて、センサー１１０が設置されている位置における空間の水分量を算出する。
【００５１】
上述した実施形態では、サーバ装置２００の通知部２２０が、記憶部２１０が記憶した水分量情報が示す水分量が、予め設定された値よりも大きいか否かを判定すると記載した。この判定は、測定装置１００の水分量演算部１２２が、水分量情報をサーバ装置２００に送信する前に行うように構成しても良い。
【００５２】
端末装置３００は複数備えられても良い。すなわち、この場合、複数の管理者が同時に建築物の状態を知ることができる。
【００５３】
上述した実施形態では、防水シート５４０は、断熱材５３０を保護すると記載したが、防水シート５４０が保護するものは断熱材５３０には限られず、基礎、柱、梁、耐力壁、剛床等、建築物を構成する躯体を保護するものであって良い。
【００５４】
上述した実施形態に係る結露監視システムは、建築物を総合的に、監視、及び／又は、管理、並びに修繕等の観点から、その他のセンサーとして、例えば、建築物内の温度を測定する温度センサー、建築物の振動を検知する加速度センサー、建築物の傾きを検知するジャイロセンサー、不審者の侵入を検知する防犯センサー（音声、振動等を検知できるセンサー）を備えても良い。これにより、建築物の長期保存と、１００年建築物の達成と、安心した生活確保と、生涯の保障、並びに早めの修理が図れる等の数々の実益がある。
【００５５】
測定装置１００は、図８に示すように、宅内ＬＡＮ４００ａや、携帯端末のテザリング機能により接続される各通信事業者の無線通信網４００ｂを介して、ネットワークＮに接続するように構成しても良い。
【００５６】
結露監視システム１乃至３は、図９に示すような制御パネルを備えても良い。図９の例では、制御パネルは、送信ボタンと、結露検知ランプと、メモリ容量オーバーランプと、電源ボタンと、テザリングランプと、宅内ＬＡＮランプと、を備える。
送信ボタンは、測定装置１００にＲＯＭに蓄積された水分量情報をサーバ装置２００に送信する際に使用される。結露検知ランプは、結露が発生したことを検知したときに点灯する。メモリ容量オーバーランプは、測定装置１００のＲＯＭやサーバ装置２００の記憶部２１０の容量がオーバーしたときに点灯する。電源ボタンは、測定装置１００の電源を入れるとき、または切るときに押下するためのボタンである。テザリングランプは、測定装置１００が、無線通信網４００ｂに接続したときに点灯する。宅内ＬＡＮランプは、測定装置１００が宅内ＬＡＮに接続したときに点灯する。
【００５７】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００５８】
１：結露監視システム
１００：測定装置
１１０、１１０＿１、１１０＿２：センサー
１１１ａ、１１１ｂ：金属線
１１１ａ−１、１１１ｂ−１：金属線の面
１１２：絶縁体
１１３：両面テープ
１２０：測定部
１２１：電気抵抗測定部
１２２：水分量演算部
２００：サーバ装置
２１０：記憶部
２２０：通知部
３００：端末装置
４００ａ：宅内ＬＡＮ
４００ｂ：テザリング機能により接続される各通信事業者の無線通信網
５１０：外壁
５２０：内壁
５３０：断熱材
５４０：断熱材を保護する防水シート
５５０：空間
Ｎ：ネットワーク
Ａ、Ｘ：矢印
【図１】
2016045136.tif 000003
【図２】
2016045136.tif 000004
【図３】
2016045136.tif 000005
【図４】
2016045136.tif 000006
【図５】
2016045136.tif 000007
【図６】
2016045136.tif 000008
【図７】
2016045136.tif 000009
【図８】
2016045136.tif 000010
【図９】
2016045136.tif 000011